(57)【要約】【課題】他の電子機器と光無線通信を行っているときに当該光無線通信が不用意に遮断されてしまうのを防止し易い車載式電子機器を提供すること。【解決手段】電子機器本体部３０Ａと、電子機器本体部の前面を露出させる開位置と電子機器本体部の前面を覆う閉位置とに駆動可能に設けられた表示パネル４０Ａとを備えた車載式電子機器５０Ａを構成するにあたり、表示パネルの前面には光無線通信用の受光部３８を設け、電子機器本体部には、表示パネルが閉位置の状態で受光部が光無線通信を行っているときに表示パネルの開閉指示が入力された場合に、受光部による光無線通信動作の終了後に表示パネルを開にする開指示待機処理を行う制御部１８を設ける。【選択図】        図３
2009035102.tif 000002
【特許請求の範囲】
【請求項１】
電子機器本体部と、前記電子機器本体部の前面を露出させる開位置と前記電子機器本体部の前面を覆う閉位置とに駆動可能に設けられた表示パネルとを備え、
前記表示パネルは、光無線通信用の受光部を前面に有しており、
前記電子機器本体部は、前記表示パネルが閉位置の状態で前記受光部が光無線通信を行っているときに表示パネルの開閉指示が入力された場合に、前記受光部による光無線通信動作の終了後に表示パネルを開にする開指示待機処理を行う制御部を有していることを特徴とする車載式電子機器。
【請求項２】
電子機器本体部と、前記電子機器本体部の前面を露出させる開位置と前記電子機器本体部の前面を覆う閉位置とに駆動可能に設けられた表示パネルとを備え、
前記表示パネルは、光無線通信用の受光部を前面に有しており、
前記電子機器本体部は、前記表示パネルが閉位置の状態で前記受光部が光無線通信を行っているときに表示パネルの開閉指示が入力された場合に、前記受光部による光無線通信動作が終了するまで表示パネルを開駆動させず、光無線通信動作の終了後に表示パネルを開駆動させるか否かをメッセージまたは音声で確認する制御部を有していることを特徴とする車載式電子機器。
【発明の詳細な説明】
【技術分野】
【０００１】
本発明は車載式電子機器に関し、特に記録媒体に記録された情報の再生機能と光無線通信機能とを備えた車載式電子機器に関する。
【背景技術】
【０００２】
今日では、カーナビゲーション装置等の車載式電子機器の多機能化が進められており、例えばナビゲーション機能の他にテレビ機能、音楽再生機能、インターネット接続機能、光無線通信機能等の機能が付加されたカーナビゲーション装置も開発されている。
【０００３】
多機能のカーナビゲーション装置の一つとして、地図情報、映像情報、音楽情報等を記録した記録媒体が前面側から装脱される電子機器本体部をダッシュボード内に設置し、地図や映像等を表示する表示パネルは上記の電子機器本体部を隠すようにして当該電子機器本体部の前方に配置し、表示パネルの前面には携帯電話等の電子機器と光無線通信（赤外線無線通信）を行う際の送受光部を設けたものが知られている。このカーナビゲーション装置では、電子機器本体部に記録媒体を装脱する際には表示パネルを開位置に駆動させて電子機器本体部の前面を露出させ、この状態で電子機器本体部に記録媒体を装填してから表示パネルを元の位置すなわち閉位置に戻した後、記録媒体に記録されている情報の再生が行われる。
【０００４】
上記タイプのカーナビゲーション装置では、電子機器本体部をダッシュボード内に設置するので意匠性を高め易い。また、記録媒体装脱部が表示パネルの背面側に配置されているので、表示パネルを大画面化しても当該表示パネルの高さを抑え易く、結果として、表示パネルを大画面化しても運転者の視界が遮られないように構成することが容易である。
【０００５】
なお、車載式電子機器とは別異のものであるが、特許文献１には、調理機器が通信を開始すると通信が終了するまで調理動作を一時停止して、ユーザの操作入力を無視する調理機器ネットワークシステムが記載されている。
【０００６】
【特許文献１】特開２０００−３１０４２４号公報
【発明の開示】
【発明が解決しようとする課題】
【０００７】
上述したタイプのカーナビゲーション装置では、表示パネルを開位置に駆動させたときに光無線通信用の送受光部が下方を向くので、携帯電話等の電子機器と光無線通信を行っている最中に表示パネルを開位置に変位させると光無線通信が遮断されてしまうことがある。例えば、携帯電話で撮影ないしダウンロードした画像のデータを同乗者が光無線通信によりカーナビゲーション装置に送信しているときに、他の同乗者が音楽情報の記録媒体を入れ替えようとして表示パネルを開位置に駆動させると、携帯電話との光無線通信が遮断されてデータ送信が途中で終了してしまうことがある。
【０００８】
この発明は、上述した従来技術における問題点を解消し、課題を解決するためになされたものであり、他の電子機器と光無線通信を行っているときに当該光無線通信が不用意に遮断されてしまうのを防止し易い車載式電子機器を提供することを目的とする。
【課題を解決するための手段】
【０００９】
上述した課題を解決し、目的を達成するこの発明の車載式電子機器は、電子機器本体部と、電子機器本体部の前面を露出させる開位置と電子機器本体部の前面を覆う閉位置とに駆動可能に設けられた表示パネルとを備え、表示パネルは、光無線通信用の受光部を前面に有しており、電子機器本体部は、表示パネルが閉位置の状態で受光部が光無線通信を行っているときに表示パネルの開閉指示が入力された場合に、受光部による光無線通信動作の終了後に表示パネルを開にする開指示待機処理を行う制御部を有していることを特徴とするものである。
【発明の効果】
【００１０】
この発明の車載式電子機器では、光無線通信動作を行っているときに表示パネルの開閉指示が入力された場合には光無線通信動作の終了後に表示パネルを開にする開指示待機処理が行われるので、他の電子機器と光無線通信を行っているときに当該光無線通信が不用意に遮断されてしまうことが容易に防止される。
【発明を実施するための最良の形態】
【００１１】
以下に添付図面を参照して、この発明に係る車載式電子機器の好適な実施例について詳細に説明する。
【実施例】
【００１２】
図１は、この発明の車載式電子機器の一例を示す概念図である。同図に示す車載式電子機器５０は、地図情報、映像情報、音楽情報等を記録した記録媒体（図示せず）が装脱される電子機器本体部３０と、電子機器本体部３０の前方に配置された表示パネル４０とを備え、ＩｒＤＡ（Infrared  Data  Association）規格等に基づいて携帯電話６０等の他の電子機器と光無線通信が可能なものである。他の電子機器との光無線通信に用いられる送受光部３８は、表示パネル４０の前面に配置されている。
【００１３】
この車載式電子機器５０では、常時には表示パネル４０が電子機器本体部３０の前方に位置して該電子機器本体部３０を覆い隠している。一方、電子機器本体部３０に記録媒体を装填する際には表示パネル４０が開位置に駆動され、すなわち表示パネル４０がその下端側を基点にして手前に倒れ、これにより露出した記録媒体装脱部（図示せず）に記録媒体が装填される。その後、表示パネル４０を閉位置に戻してから、すなわち表示パネル４０を元の位置に戻してから、記録媒体に記録されている情報の再生が行われる。なお、以下の説明では、表示パネルを開位置に駆動させることを「パネルを開ける」と表記し、閉位置に駆動させることを「パネルを閉める」と表記する。
【００１４】
車載式電子機器５０と他の電子機器、例えば携帯電話６０との光無線通信は、パネルを閉めているときに行われる。そして、携帯電話６０と光無線通信を行っている最中にパネルを開ける開指令信号Ｒｏが入力されても、車載式電子機器５０は当該開指令信号Ｒｏには従わずにパネルを閉じたままにして光無線通信が完了するのを待ち、光無線通信が完了したときに初めて上記の開指令信号Ｒｏに従ってパネルを開ける開指示待機処理を行う。
【００１５】
車載式電子機器５０での光無線通信の状態とパネル開閉の可否との関係について、図２を参照して更に詳細に説明する。図２は、車載式電子機器５０での光無線通信の状態とパネル開閉の可否との関係を示す概略図である。
【００１６】
図２に示すように、車載式電子機器５０が光無線通信を行っていないとき、すなわち非通信中であるときには、パネルを開ける開指令信号Ｒｏ１が出されれば直ちにパネルが開き（オープン）、パネルを閉める閉指令信号Ｒｃ１，Ｒｃ２が出されれば直ちにパネルが閉まる（クローズ）。一方、車載式電子機器５０が光無線通信を行っているとき、すなわち通信中であるときには、パネルを開ける開指令信号Ｒｏ２が出されてもパネルを閉じたままにして上述の開指示待機処理を行う。
【００１７】
このようにパネルの開閉を制御する車載式電子機器５０では、他の電子機器と光無線通信を行っているときに送受光部３８が下方を向いてしまうことがないので、当該光無線通信が不用意に遮断されてしまうのを容易に防止することができる。このような技術的効果を奏する車載式電子機器５０の具体的構成は特に限定されるものではなく、種々の構成をとることができる。以下、図３および図４を参照して車載式電子機器５０の具体的な構成について説明する。
【００１８】
図３は、車載式電子機器５０の一例を概略的に示す機能ブロック図である。同図に示す車載式電子機器５０Ａは、電子機器本体部３０Ａと表示パネル４０Ａとを備えている。電子機器本体部３０Ａは、パネル開閉部２、記録媒体装脱部４、媒体駆動部６、情報読出し部８、情報処理部１０、記憶部１２、パネル駆動部１４、スピーカ駆動部１６、制御部１８、光無線送受信処理部２０、および通信処理部２２を有している。また、表示パネル４０Ａは、パネル駆動部１４から供給される信号に応じて画像や映像、あるいは文字や図形等のキャラクタを表示する表示部３２、スピーカ駆動部１６から供給される信号に応じて楽音や音声を再生するスピーカ部３４、当該表示パネル４０Ａの開閉動作を指示する開閉操作部３６、および他の電子機器と光無線通信を行う際に光信号を送受信する送受光部３８を有している。
【００１９】
電子機器本体部３０Ａにおけるパネル開閉部２は、表示パネル４０Ａを所定方向に回転させて閉位置と開位置とに開閉駆動させるものであり、モータ等の動力源を備えている。記録媒体装脱部４は、例えば地図情報や映像情報等が記録されたＤＶＤ−ＲＯＭや音楽情報が記録されたＣＤ−ＲＯＭが装着されるトレイ、あるいはＳＤメモリカード（Secure  Digital  Memory  Card）が装脱されるスロットである。媒体駆動部６は、記録媒体装脱部４が上記のトレイを備えている場合に設けられて、トレイに装填された記録媒体から情報を読出すときに当該記録媒体を回転させるものであり、回転する記録媒体を所定位置に保つクランプ機構および記録媒体を回転させるモータ等を備えている。情報読出し部８は、光学ヘッド、リニアアクチュエータ、信号読出し回路等を用いて構成されて、記録媒体に記録された情報を読出す。
【００２０】
情報処理部１０は、情報読出し部８により記録媒体から読出した情報や、光無線送受信処理部２０から出力された情報に所定の処理を施して、表示パネル４０Ａで表示可能な情報にする。記憶部１２は、例えば半導体メモリやハードディスク装置により構成されて、情報処理部１０で得た情報を記憶する。パネル駆動部１４は、所定の映像回路により構成されて、記憶部１２に記憶されている情報に応じた所定の画像信号や映像信号、あるいはキャラクタ信号を作成し、表示部３２に供給する。スピーカ駆動部１６は、所定の音響回路により構成されて、記憶部１２に記憶されている情報に応じた楽音信号や音声信号を作成し、スピーカ部３４に供給する。
【００２１】
制御部１８は、開閉操作部３６から入力される指令信号に応じてパネル開閉部２、媒体駆動部６、情報読出し部８、情報処理部１０、パネル駆動部１４、およびスピーカ駆動部１６それぞれの動作を制御して、表示パネル４０Ａの開閉動作を行ったり、所定の画像や映像、あるいはキャラクタ等を表示部３２に表示させたり、所定の楽音や音声をスピーカ部３４に再生させたりする。
【００２２】
光無線送受信処理部２０は、送受光部３８で受光した光信号を電気信号に変換して所定の処理を施した後に情報処理部１０に送る。また、この光無線送受信処理部２０は、情報処理部１０で作成した所定の電気信号を光信号に変換して送受光部３８に送る。通信処理部２２は、ＧＰＳ（Global  Positioning  System）用受信機として機能して人工衛星から所定の電波を受信する他に、インターネットに接続する送受信部としても機能する。
【００２３】
このように構成された車載式電子機器５０Ａでは、電子機器本体部３０Ａに記録媒体を装脱するときにはパネルを開ける。すなわち、表示パネル４０Ａを開位置に駆動させる。これにより電子機器本体部３０Ａの前面が露出すると共に記録媒体装脱部４が露出するので、記録媒体の装脱が可能になる。一方、記録媒体に記録されている情報を表示パネル４０Ａにより再生するときや、光無線通信を行うときには、予めパネルが閉じられる。すなわち、表示パネル４０Ａが予め閉位置に駆動される。したがって、記録媒体装脱部４に所望の記録媒体を装填して当該記録媒体に記録されている情報を表示部３２またはスピーカ部３４で再生しているときでも、他の電子機器と光無線通信を行うことができる。光無線通信で得た情報は、記録媒体に記録されている情報の再生が終了した後の所望時期に再生することもできるし、光無線通信が完了した後に直ちに再生することもできる。
【００２４】
ただし、光無線通信を行っている最中にはパネルを開けることができない。光無線通信を行っている最中にパネルを開ける開指令信号が開閉操作部３６から入力されても、制御部１８は当該指令信号には従わず、前述の開指示待機処理を行う。開指示待機処理を行っている間、制御部１８はパネル開閉部２を動作させずに表示パネル４０Ａを閉位置に留まらせ、すなわちパネルを閉じたままとし、光無線通信が完了したときに初めて上記の指令信号に従ってパネル開閉部２の動作を制御してパネルを開ける。以下、車載式電子機器５０Ａでの制御内容について、図４を参照して詳述する。
【００２５】
図４は、上述した車載式電子機器５０Ａでの制御内容の一例を概略的に示すフローチャートである。車載式電子機器５０Ａでは、記録媒体から情報を読出して再生する際に、同図に示す各ステップのうちの所定のステップが行われる。
【００２６】
まず、車載式電子機器５０Ａの電源が投入されるとステップＳ１が行われる。このステップＳ１では、車載式電子機器５０Ａと他の電子機器とが光無線通信を行っているか否かを制御部１８（図３参照）が判断する。そして、光無線通信を行っていないと判断されたときには後述するステップＳ１１に進み、光無線通信を行っていると判断されたときにはステップＳ２に進んで、パネルを開ける開指令信号が開閉操作部３６（図３参照）から入力されたか否かを制御部１８が判断する。なお図４においては、パネルを開く開指令信号を「パネルオープン指令」と表記している。
【００２７】
ステップＳ２でパネルを開ける開指令信号が入力されていないと判断されたときには後述するステップＳ２１に進み、パネルを開ける開指令信号が入力されたと判断されたときにはステップＳ３に進んで、光無線通信が完了したか否かを制御部１８が判断する。このステップＳ３で光無線通信が完了したと判断されたときにはステップＳ４に進んでパネルを開け、光無線通信が完了していないと判断されたときにはステップＳ３を繰り返す。したがって、光無線通信を行っている最中はパネルが開かない。なお図４においては、パネルを開けることを「パネルオープン」と表記している。
【００２８】
ステップＳ４に進んでパネルを開けた後は、ステップＳ５に進んでパネルを閉める閉指令信号が開閉操作部３６から入力されたか否かを制御部１８が判断する。そして、パネルを閉める閉指令信号が入力されていないと判断されたときにはステップＳ５を繰り返し、パネルを閉める閉指令信号が入力されたと判断されたときにはステップＳ６に進んでパネルを閉め、記録媒体装脱部４（図３参照）に記録媒体が装填されているか否かを制御部１８が判断する。
【００２９】
ステップＳ６で記録媒体が装填されていないと判断されたときには制御を一旦終了し、記録媒体が装填されていると判断されたときにはステップＳ７に進んで、情報の再生を行う指令信号（再生指令）が入力されたか否かを制御部１８が判断する。そして、再生指令が入力されていないと判断されたときにはステップＳ７を繰り返し、再生指令が入力されたと判断されたときにはステップＳ８に進んで、記録媒体からの情報の読出し、および読出した情報の再生を行う。
【００３０】
この後、ステップＳ９に進んで情報の読出しおよび再生が完了した否かを制御部１８が判断し、完了していないと判断されたときにはステップＳ９を繰り返し、完了したと判断されたときには制御を一旦終了する。
【００３１】
一方、前述したステップＳ１で光無線通信を行っていないと判断されたときにはステップＳ１１に進んで、パネルを開ける開指令信号が開閉操作部３６から入力されたか否かを制御部１８が判断する。そして、パネルを開ける開指令信号が入力されていないと判断されたときにはステップＳ１１を繰り返し、パネルを開ける開指令信号が入力されたと判断されたときには前述したステップＳ４に進んでパネルを開けた後に、前述したステップＳ５以降を行う。
【００３２】
また、前述したステップＳ２でパネルを開ける開指令信号が入力されていないと判断されたときにはステップＳ２１に進んで光無線通信が完了したか否かを制御部１８が判断する。このステップＳ２１で光無線通信が完了していないと判断されたときにはステップＳ２１を繰り返し、光無線通信が完了したと判断されたときには制御を一旦終了する。
【００３３】
なお、上述のようにして一旦終了された制御は、例えば開閉操作部３６や後述する再生操作部により何らかの指令信号が入力されるとステップＳ１から再開される。また、車載式電子機器５０Ａがカーナビゲーション装置として動作する際には、地図情報が記録されている記録媒体から読出した情報を基に表示部３２に地図を表示しながら、通信処理部２２（図３参照）で受信した人工衛星からの信号と上記の地図情報とを基に制御部１８が車輌の位置を特定し、当該位置を表示部３２上で地図に重ねて表示する。
【００３４】
図５は、上述した車載式電子機器５０Ａを具体的に示す斜視図である。同図に示すように、車載式電子機器５０Ａでは、常時にはパネルが閉じている。すなわち、表示パネル４０Ａが閉位置に駆動されて電子機器本体部３０Ａの前面を覆い隠している。この表示パネル４０Ａは、表示部３２と、図示を省略したスピーカ部と、開閉操作部３６と、情報の再生に関する指令信号を入力する再生操作部３７と、携帯電話６０等の電子機器と光無線通信を行う際の送受光部３８とを有している。そして、上記の再生操作部３７には、情報の再生を指示する指令信号を入力する再生ボタン３７ａ、再生している情報の早送りを指示する指令信号を入力する早送りボタン３７ｂ、再生している情報の早戻りを指示する指令信号を入力する早戻りボタン３７ｃ、情報再生の停止を指示する指令信号を入力する停止ボタン３７ｄ、および情報再生の終了を指示する指令信号を入力する再生終了ボタン３７ｅが含まれている。
【００３５】
図５に示すように、電子機器本体部３０Ａに記録媒体を装脱する際にはパネルが開けられ、すなわち表示パネル４０Ａがその下端側を基点にして手前に回転して開位置に駆動され、これにより露出した記録媒体装脱部４に記録媒体が装脱される。図示の例では、ＤＶＤ−ＲＯＭやＣＤ−ＲＯＭが装脱される第１装脱部４ａと、ＭＤ（Mini  Disc）が装脱される第２装脱部４ｂと、ＳＤメモリカード（Secure  Digital  Memory  Card）が装脱される第３装脱部４ｃとが電子機器本体部３０Ａに設けられている。
【００３６】
既に説明したように、車載式電子機器５０Ａでは、該車載式電子機器５０Ａが他の電子機器と光無線通信を行っているときには、開閉ボタン３６によりパネルを開く開指令信号が入力されると開指示待機処理が行われるので、光無線通信中はパネルは閉じたままであり、光無線通信の完了後にパネルが開く。そのため、光無線通信中に送受光部３８が下方を向いてしまって当該光無線通信が遮断される、ということが防止される。
【００３７】
以上、実施例を挙げてこの発明の車載式電子機器について説明したが、この発明は上述の実施例に限定されるものではない。前述のように、この発明の車載式電子機器の具体的構成は特に限定されるものではなく、種々の構成をとることができる。同様に、この発明の車載式電子機器での制御内容も、他の電子機器と光無線通信を行っているときにはパネルを開く開指令信号が入力されてもパネルが開かないように制御する以外は、適宜変更可能である。
【００３８】
例えば、前述した開指示待機処理を行っているときには、その旨をメッセージにして表示部３２に表示するように車載式電子機器を構成することもできる。このように車載式電子機器を構成すると、パネルが開かないときにユーザが故障と勘違いしたり、苛ついたりすることを防止することができる。
【００３９】
図６は、開指示待機処理を行っているときに表示部に表示されるメッセージの一例を示す概略図である。同図に示す例では、表示部３２の下部に「ＩｒＤＡ通信中のためＯＰＥＮ中断中です」というメッセージＭが２行に亘って表示されている。メッセージＭの元となる文字情報は、例えば図３に示した記憶部１２に予め格納される。開指示待機処理を行っているときには、制御部１８の制御の下にパネル駆動部１４が所定の動作を行って、上記の文字情報に対応したメッセージＭを表示部３２に表示させる。
【００４０】
表示部に上述のメッセージを表示するのと同様の理由から、開指示待機処理を行っているときには、その旨をスピーカ部３４（図３参照）から音声で通知するように車載式電子機器を構成してもよい。この場合、上記の音声の元となる音声情報は、例えば図３に示した記憶部１２に予め格納される。開指示待機処理を行っているときには、制御部１８の制御の下にスピーカ駆動部１６が所定の動作を行って、上記の音声情報に対応した音声をスピーカ部３４に再生させる。
【００４１】
また、開指示待機処理は、光無線通信の完了後に表示パネルを必ず開にするものでなければならいというものではなく、光無線通信が終了したときにパネル開閉部を開駆動させるか否かをユーザに問うメッセージ、すなわちパネルを開けるか否かをユーザに問うメッセージを表示部３２に表示するように車載式電子機器を構成することもできる。あるいは、光無線通信が終了したときにパネル開閉部を開駆動させるか否かをユーザに問う音声がスピーカ部３４で再生されるように車載式電子機器を構成することもできる。
【００４２】
このように車載式電子機器を構成すると、光無線通信中にパネルを開ける開指令信号を誤って入力していた場合に、その後に自動的に開いたパネルを閉め直すという手間が省ける。このとき、例えば開閉操作部３６（図５参照）または再生操作部３７中の所定のボタンを押すことで上記のメッセージまたは音声に対する応答が行われるように、車載式電子機器が構成される。例えば、上記のメッセージまたは音声による問いかけに対してパネルを開けるときにはパネル開閉ボタン３７ａを押すことで応答し、パネルを開けないときには再生終了ボタン３７ｅを押すことで応答するように車載式電子機器が構成される。
【００４３】
パネル開閉部を開駆動させるか否かを問う上述のメッセージの元となる文字情報は、例えば図３に示した記憶部１２に予め格納される。光無線通信が完了したときに制御部１８の制御の下にパネル駆動部１４が所定の動作を行って、上記の文字情報に対応したメッセージを表示部３２に表示させる。同様に、パネル開閉部の動作を再開させてパネルを開けるか否かを問う上述の音声の元となる音声情報は、例えば図３に示した記憶部１２に予め格納される。光無線通信が完了したときに制御部１８の制御の下にスピーカ駆動部１６が所定の動作を行って、上記の音声情報に対応した音声をスピーカ部３４に再生させる。なお、表示パネルにスピーカ部を設けることは必須の要件ではなく、車輌内の他のオーディオビジュアル機器で用いられているスピーカを利用することもできる。この発明の車載式電子機器については、上述したもの以外にも種々の変形、修飾、組み合わせ等が可能である。
【産業上の利用可能性】
【００４４】
以上説明したように、この発明の車載式電子機器は他の電子機器と光無線通信を行っているときに当該光無線通信が不用意に遮断されてしまうのを防止し易いものであり、当該車載式電子機器は例えば多機能のカーナビゲーション装置として、あるいは多機能の車載式ビジュアルオーディオ装置として好適である。
【図面の簡単な説明】
【００４５】
【図１】この発明の車載式電子機器の一例を示す概念図である。
【図２】図１に示した車載式電子機器での光無線通信の状態とパネル開閉の可否との関係を示す概略図である。
【図３】この発明の車載式電子機器の一例を概略的に示す機能ブロック図である。
【図４】図３に示した車載式電子機器での制御内容の一例を概略的に示すフローチャートである。
【図５】図３に示した車載式電子機器を具体的に示す斜視図である。
【図６】この発明の車載式電子機器において、パネルを開く指令信号が入力されてもパネルを閉じたままとするときに表示部に表示されるメッセージの一例を示す概略図である。
【符号の説明】
【００４６】
２  パネル開閉部
４  記録媒体装脱部
１２  記憶部
１４  パネル駆動部
１６  スピーカ駆動部
１８  制御部
３０，３０Ａ  電子機器本体部
３４  スピーカ部
３６  開閉操作部
３８  送受光部
４０，４０Ａ  表示パネル
５０，５０Ａ  車載式電子機器
【図１】
2009035102.tif 000003
【図２】
2009035102.tif 000004
【図３】
2009035102.tif 000005
【図４】
2009035102.tif 000006
【図５】
2009035102.tif 000007
【図６】
2009035102.tif 000008